(57)【要約】【課題】投票所内における公営競技に関する競技を表示する複数の表示装置の配置と、当該複数の表示装置が表示する競技の開催場とを投票者に案内する。【解決手段】公営競技の投票所内に配置された、競技に関する情報を表示している複数の表示装置４ａ〜４ｃの配置を表示装置６に表示するものである。また、表示制御装置５は、競技に関するイベントが対応付けられ、複数の表示装置４ａ〜４ｃに対して割り当てられた複数の表示装置４ａ〜４ｃが表示する競技が開催される開催場に関する情報を保持する割り当て情報保持部５ｂを備える。表示制御装置５では、割り当て表示処理部５ｅが、開催場で開催されている競技でイベントが発生すると、割り当て情報保持部５ｂを参照して、発生したイベントに対応付けられた開催場と、複数の表示装置４ａ〜４ｃの配置とを表示装置６に表示させる。【選択図】図１
2014215790.tif 000002
【特許請求の範囲】
【請求項１】
公営競技の投票所内に配置された、競技に関する情報を表示している複数の第１表示装置の配置を第２表示装置に表示する表示制御装置であって、
前記競技に関するイベントが対応付けられ、前記複数の第１表示装置に対して割り当てられた前記複数の第１表示装置が表示する前記競技が開催される開催場に関する情報を保持する割り当て情報保持部と、
前記開催場で開催されている前記競技で前記イベントが発生すると、前記割り当て情報保持部を参照して、発生した前記イベントに対応付けられた前記開催場と、前記複数の第１表示装置の配置とを前記第２表示装置に表示させる割り当て表示処理部と、
を有することを特徴とする表示制御装置。
【請求項２】
前記競技に関するイベントが対応付けられ、前記複数の第１表示装置に表示させる表示チャンネルに関する情報を保持する表示切替情報保持部と、
前記開催場で開催されている前記競技で前記イベントが発生すると、前記表示切替情報保持部を参照して、前記複数の第１表示装置に、発生した前記イベントに対応付けられた前記表示チャンネルを表示させる切替表示処理部と、
を更に有することを特徴とする請求項１記載の表示制御装置。
【請求項３】
前記割り当て表示処理部は、前記複数の第１表示装置のうち、表示する前記競技が開催される前記開催場が共通するものごとに前記複数の第１表示装置を区分けして前記第２表示装置に表示する、
ことを特徴とする請求項１または２に記載の表示制御装置。
【請求項４】
公営競技の投票所内に配置された、競技に関する情報を表示している複数の第１表示装置の配置を第２表示装置に表示する表示制御方法であって、
開催場で開催されている前記競技で前記イベントが発生すると、前記競技に関するイベントが対応付けられ、前記複数の第１表示装置に対して割り当てられた前記複数の第１表示装置が表示する前記競技が開催される開催場に関する情報を保持する割り当て情報保持部を参照して、発生した前記イベントに対応付けられた前記開催場と、前記複数の第１表示装置の配置とを前記第２表示装置に表示させる、
ことを特徴とする表示制御方法。
【請求項５】
公営競技の投票所内に配置された、競技に関する情報を表示している複数の第１表示装置の配置を第２表示装置に表示する表示制御プログラムであって、
コンピュータに、
開催場で開催されている前記競技で前記イベントが発生すると、前記競技に関するイベントが対応付けられ、前記複数の第１表示装置に対して割り当てられた前記複数の第１表示装置が表示する前記競技が開催される開催場に関する情報を保持する割り当て情報保持部を参照して、発生した前記イベントに対応付けられた前記開催場と、前記複数の第１表示装置の配置とを前記第２表示装置に表示させる、
処理を実行させることを特徴とする表示制御プログラム。
【発明の詳細な説明】
【技術分野】
【０００１】
本発明は、公営競技に関する情報を表示する複数の表示装置の配置を表示させる表示制御装置、表示制御方法及び表示制御プログラムに関する。
【背景技術】
【０００２】
競馬、競艇、競輪及びオートレース等の公営競技のホストコンピュータは、各開催場（レース場）における全レースの出走内容（競馬であれば、騎手、馬、レーススタイル等）、発走時刻、競技結果、オッズ、配当金等の管理、算出等を行う（例えば、特許文献１参照）。
【０００３】
また、投票者が投票を行う投票所には、当該ホストコンピュータから送信される各開催場で開催される競技に関する情報（出走内容、単勝、三連単等の投票方法の種類（式別）等）を表示する複数の表示装置が設置されている。投票者は、当該表示装置の表示内容を参照して、所望のレースにおいて、購入金額を支払い、投票を行うことができる。
【先行技術文献】
【特許文献】
【０００４】
【特許文献１】特開２００６−０９９５２０号公報
【発明の概要】
【発明が解決しようとする課題】
【０００５】
このような投票所の複数の表示装置は、それぞれ表示する画像の例えば左上に開催場を小さく表示するだけであった。このため、投票者は表示装置に近づかなければ、当該表示装置がどの開催場を表示しているのかを確認することができなかった。
【０００６】
そこで、各表示装置に、それらがそれぞれ表示する開催場の場名が大きく記載された名札を別途取り付けることで投票者に表示装置が表示する開催場を容易に把握させることができる。しかし、この場合は、係員が表示装置の表示内容を確認して、確認した表示内容から当該表示装置が表示する開催場の場名を記載した名札を表示装置に取り付けるといった煩雑な作業が発生してしまう。また、このような作業は人手で行われるために、場名が記載された名札の取り付け先を間違えてしまうおそれがある。
【０００７】
本発明は、このような点に鑑みてなされたものであり、投票所内における公営競技に関する競技を表示する複数の表示装置の配置と共に、当該複数の表示装置が表示する競技の開催場を表示する表示制御装置、表示制御方法及び表示制御プログラムを提供することを目的とする。
【課題を解決するための手段】
【０００８】
上記目的を達成するために、公営競技の投票所内に配置された、競技に関する情報を表示している複数の第１表示装置の配置を第２表示装置に表示する表示制御装置であって、前記競技に関するイベントが対応付けられ、前記複数の第１表示装置に対して割り当てられた前記複数の第１表示装置が表示する前記競技が開催される開催場に関する情報を保持する割り当て情報保持部と、前記開催場で開催されている前記競技で前記イベントが発生すると、前記割り当て情報保持部を参照して、発生した前記イベントに対応付けられた前記開催場と、前記複数の第１表示装置の配置とを前記第２表示装置に表示させる割り当て表示処理部と、を有する表示制御装置が提供される。
【０００９】
また、上記目的を達成するために、上記の表示制御装置で実行される表示制御方法及び表示制御プログラムが提供される。
【発明の効果】
【００１０】
上記の表示制御装置、表示制御方法及び表示制御プログラムによれば、投票者が投票したい競技を表示する表示装置に投票者を誘導させることができ、当該投票者による投票の機会を増やすことができるようになる。
【図面の簡単な説明】
【００１１】
【図１】第１の実施の形態に係る表示制御装置の概念図である。
【図２】第１の実施の形態に係る表示制御装置により表示される表示例を示す図である。
【図３】第２の実施の形態に係る表示システムの一例を示す図である。
【図４】第２の実施の形態に係る表示制御装置が備えるハードウェア構成例を示す図である。
【図５】第２の実施の形態に係る表示制御装置が備える機能を示す機能ブロック図である。
【図６】第２の実施の形態に係る表示制御装置が備えるイベント情報保持部が保持するイベント情報の一例を示す図である。
【図７】第２の実施の形態に係る表示制御装置が備える表示パターン情報保持部が保持する表示パターン情報の一例を示す図である。
【図８】第２の実施の形態における表示制御装置で実行される表示制御処理を示すフローチャートである。
【図９】第２の実施の形態に係る表示制御装置が備える開催場情報保持部が保持する開催場情報の一例を示す図である。
【図１０】第２の実施の形態に係る表示制御装置が生成する表示切替情報保持部が保持する表示切替情報の一例を示す図である。
【図１１】第２の実施の形態に係る表示制御装置が表示させる割り当て情報保持部が保持する割り当て情報の一例を示す図である。
【図１２】第２の実施の形態における表示制御装置が表示させる開催場案内モニタの表示例を示す図である。
【発明を実施するための形態】
【００１２】
以下、図面を参照して実施の形態について説明する。
［第１の実施の形態］
表示制御装置は、公営競技の投票所内に配置された、競技に関する情報を表示している複数の第１表示装置の配置を第２表示装置に表示するものである。表示制御装置は、さらに、当該競技で発生した競技に関するイベントに応じて、当該複数の第１表示装置が表示する競技が開催されている開催場を第２表示装置に表示することで、複数の第１表示装置が表示する競技が開催される開催場を投票者に案内するものである。
【００１３】
このような表示制御装置について図１を参照して説明する。
図１は、第１の実施の形態に係る表示制御装置の概念図である。
表示システム１は、公営競技ホストコンピュータ２と、画像制御装置３、表示制御装置５を備える。また、画像制御装置３には、公営競技の投票所内に配置された、競技に関する情報（出走内容、単勝、三連単等の投票方法の種類（式別）等）を表示する複数の表示装置（図１では、例えば、３つの表示装置４ａ〜４ｃ）が接続されている。投票者は、表示装置４ａ〜４ｃの表示内容を参考にして所望の競技に対する投票を行うことができる。表示制御装置５には、同様に投票所内の入り口等に配置されている、このような複数の表示装置４ａ〜４ｃの配置を表示する表示装置６が接続されている。投票者は、表示装置６の表示内容を視認して投票所内の表示装置４ａ〜４ｃの配置場所を把握することができる。
【００１４】
公営競技ホストコンピュータ２は、公営競技に関する競技の全開催場、全競技の出走内容（競馬であれば、騎手、馬、レーススタイル等）、発走時刻、競技結果、オッズ、配当金等の管理、算出等を行う。また、公営競技ホストコンピュータ２は、競技に関する情報（出走内容、単勝、三連単等の投票方法の種類（式別）等）を画像制御装置３に通知し、競技に関するイベント（後述）が発生すると、当該イベントを表示制御装置５に通知する。
【００１５】
画像制御装置３は、公営競技ホストコンピュータ２とネットワーク（図示を省略）を介して通信可能に接続されていると共に、複数の表示装置４ａ〜４ｃが接続されている。画像制御装置３は、公営競技ホストコンピュータ２から受信した競技に関する情報に基づき、開催場ごとに競技に関する情報の画像を生成して、生成した画像を表示装置４ａ〜４ｃに表示させる。
【００１６】
表示制御装置５は、公営競技ホストコンピュータ２とネットワーク（図示を省略）を介して通信可能に接続されていると共に、画像制御装置３並びに表示装置６と接続されている。このような表示制御装置５は、表示切替情報保持部５ａと、割り当て情報保持部５ｂ、イベント取得部５ｃ、切替表示処理部５ｄ、割り当て表示処理部５ｅを備える。
【００１７】
表示切替情報保持部５ａは、イベント（例えば、イベントＡ〜Ｃ）ごとに対応付けられた、複数の表示装置４ａ〜４ｃに表示させるチャンネル（例えば、ＣＨ１〜３）に関する情報を保持する。イベントとは、例えば、投票所の営業開始に伴う表示システム１の起動、各レースの開始・終了、最終レースに対する払い戻し金額の確定等といった表示システム１並びに競技に関して発生する事象である。例えば、図１では、イベントＡは、表示システム１の起動、イベントＢは、開催場（Ｙ場）での最終レースの払い戻し金額の確定、イベントＣは、開催場（Ｙ場及びＺ場）での最終レースの払い戻し金額の確定をそれぞれ表す。また、チャンネルは、各開催場での競技に関する情報を表示する表示チャンネルである。例えば、図１では、Ｘ〜Ｚ場で開催される競技に関する情報は表示チャンネルのＣＨ１〜３でそれぞれ表示される。
【００１８】
割り当て情報保持部５ｂは、競技に関するイベントが対応付けられ、表示装置４ａ，４ｂ，４ｃに対して割り当てられた表示装置４ａ，４ｂ，４ｃが表示する競技が開催される開催場に関する情報を保持する。例えば、図１に示す割り当て情報保持部５ｂが含む割り当て情報は、イベントＡが発生した場合には、表示装置４ａ，４ｂ，４ｃに開催場であるＸ，Ｙ，Ｚ場を割り当て、イベントＢが発生した場合には、表示装置４ａ，４ｂ，４ｃに開催場であるＸ，Ｘ，Ｚ場をそれぞれ割り当てることが分かる。なお、このような割り当ては一例であって、表示装置４ａ，４ｂ，４ｃに開催場であるＹ，Ｙ，Ｚ場等を割り当てることも可能である。
【００１９】
なお、表示切替情報保持部５ａ及び割り当て情報保持部５ｂが保持する情報は、予め設定されて保持されるものである。
イベント取得部５ｃは、公営競技ホストコンピュータ２から通知された各開催場で開催されている競技で発生したイベントを取得する。
【００２０】
切替表示処理部５ｄは、開催場で開催されている競技でイベントが発生すると、表示切替情報保持部５ａを参照して、イベント取得部５ｃが取得したイベントに基づき表示装置４ａ〜４ｃに対応付けたチャンネルの表示要求を画像制御装置３に通知する。画像制御装置３は、切替表示処理部５ｄから表示要求されたチャンネルを表示装置４ａ〜４ｃに表示させる。例えば、イベントＢが発生した場合には、切替表示処理部５ｄは、表示装置４ａ，４ｂ，４ｃに対して表示チャンネルのＣＨ１，１，３を表示させるような表示要求を画像制御装置３に送信する。
【００２１】
割り当て表示処理部５ｅは、開催場で開催されている競技でイベントが発生した後、さらに、切替表示処理部５ｄの処理後、割り当て情報保持部５ｂを参照して、発生したイベントに対応付けられた開催場と、表示装置４ａ〜４ｃの配置とを表示装置６に表示させる。
【００２２】
なお、表示制御装置５の少なくともイベント取得部５ｃと、切替表示処理部５ｄ、割り当て表示処理部５ｅは、表示制御装置５が備える図示しないＣＰＵ（Central Processing Unit）によって表示制御プログラムが実行されることにより、その処理機能が実現される。
【００２３】
このような表示システム１の表示制御装置５により実行される表示制御方法について説明する。また、このような表示制御方法により表示装置６が表示する表示例について図２を用いて説明する。
【００２４】
図２は、第１の実施の形態に係る表示制御装置により表示される表示例を示す図である。なお、図２（Ａ）〜（Ｃ）はイベントＡ〜Ｃがそれぞれ発生した際に表示装置６が表示する、投票所内の表示装置４ａ〜４ｃ，６の配置（レイアウト）と表示装置４ａ〜４ｃが表示する競技が開催される開催場との表示例を模式的に示している。また、図２中の表示例では、符号の記載を省略しており、図２中の投票所内の４つの表示装置は左から順に表示装置４ａ〜４ｃ，６に対応している。
【００２５】
まず、投票所の営業開始に伴い表示システム１が起動すると、公営競技ホストコンピュータ２は、表示システム１の起動を表すイベントＡを表示制御装置５に通知する。
表示制御装置５では、イベント取得部５ｃが公営競技ホストコンピュータ２から通知されたイベントＡを取得する。切替表示処理部５ｄは、表示切替情報保持部５ａを参照して、取得したイベントＡに基づき、表示装置４ａ，４ｂ，４ｃに表示させる表示チャンネルのＣＨ１，２，３の表示要求を画像制御装置３に出力する。
【００２６】
画像制御装置３は、公営競技ホストコンピュータ２から通知された情報に基づき表示チャンネルのＣＨ１，２，３の画像を生成し、切替表示処理部５ｄからの表示要求に基づき、表示装置４ａ，４ｂ，４ｃに表示チャンネルのＣＨ１，２，３の画像を表示させる。
【００２７】
続けて、割り当て表示処理部５ｅは、割り当て情報保持部５ｂを参照して、イベント取得部５ｃが取得したイベントＡに対応付けられたＸ，Ｙ，Ｚ場と、表示装置４ａ，４ｂ，４ｃの配置とを表示装置６に表示させる。
【００２８】
この場合、表示装置６は、図２（Ａ）に示されるように、投票所に配置された３つの「表示装置（表示装置４ａ，４ｂ，４ｃ）」の配置と共に、表示装置４ａ，４ｂ，４ｃが表示する競技が開催されるＸ，Ｙ，Ｚ場とを表示する。
【００２９】
次いで、開催場であるＹ場での最終レースの払い戻し金額が確定すると、公営競技ホストコンピュータ２は、Ｙ場での最終レースの払い戻し金額の確定を表すイベントＢを表示制御装置５に通知する。
【００３０】
表示制御装置５では、イベント取得部５ｃが公営競技ホストコンピュータ２から通知されたイベントＢを取得する。切替表示処理部５ｄは、表示切替情報保持部５ａを参照して、取得したイベントＢに基づき、表示装置４ａ，４ｂ，４ｃに表示させる表示チャンネルのＣＨ１，１，３の表示要求を画像制御装置３に出力する。
【００３１】
画像制御装置３は、公営競技ホストコンピュータ２から通知された情報に基づき表示チャンネルのＣＨ１，１，３の画像を生成し、切替表示処理部５ｄからの表示要求に基づき、表示装置４ａ，４ｂ，４ｃに表示チャンネルのＣＨ１，１，３の画像を表示させる。
【００３２】
続けて、割り当て表示処理部５ｅは、割り当て情報保持部５ｂを参照して、イベント取得部５ｃが取得したイベントＢに対応付けられたＸ，Ｘ，Ｚ場と、表示装置４ａ，４ｂ，４ｃの配置とを表示装置６に表示させる。
【００３３】
この場合、表示装置６は、図２（Ｂ）に示されるように、投票所に配置された３つの「表示装置（表示装置４ａ，４ｂ，４ｃ）」の配置と共に、表示装置４ａ，４ｂ，４ｃが表示する競技が開催されるＸ，Ｘ，Ｚ場とを表示する。
【００３４】
なお、イベントＢが発生した場合は、Ｙ場で開催されるレースが全て終了したことになり、Ｙ場で開催される競技に関して表示していた表示装置４ｂにＸ場で開催される競技に関して表示するようにしたものである。この場合において、設定に応じて、Ｙ場で開催される競技に関して表示していた表示装置４ｂにＸ場ではなくＺ場で開催される競技に関して表示するようにすることも可能である。
【００３５】
最後に、開催場であるＺ場での最終レースの払い戻し金額が確定すると、公営競技ホストコンピュータ２は、Ｙ場及びＺ場での最終レースの払い戻し金額の確定を表すイベントＣを表示制御装置５に通知する。
【００３６】
表示制御装置５では、イベント取得部５ｃが公営競技ホストコンピュータ２から通知されたイベントＣを取得する。切替表示処理部５ｄは、表示切替情報保持部５ａを参照して、取得したイベントＣに基づき、表示装置４ａ，４ｂ，４ｃに表示させる表示チャンネルのＣＨ１，１，１の表示要求を画像制御装置３に出力する。
【００３７】
画像制御装置３は、公営競技ホストコンピュータ２から通知された情報に基づき表示チャンネルのＣＨ１の画像を生成し、切替表示処理部５ｄからの表示要求に基づき、表示装置４ａ，４ｂ，４ｃに表示チャンネルのＣＨ１，１，１の画像を表示させる。
【００３８】
続けて、割り当て表示処理部５ｅは、割り当て情報保持部５ｂを参照して、イベント取得部５ｃが取得したイベントＣに対応付けられたＸ，Ｘ，Ｘ場と、表示装置４ａ，４ｂ，４ｃの配置とを表示装置６に表示させる。
【００３９】
この場合、表示装置６は、図２（Ｃ）に示されるように、投票所に配置された３つの「表示装置（表示装置４ａ，４ｂ，４ｃ）」の配置と共に、表示装置４ａ，４ｂ，４ｃが表示する競技が開催されるＸ，Ｘ，Ｘ場とを表示する。
【００４０】
上記の表示制御装置５は、公営競技の投票所内に配置された、競技に関する情報を表示している複数の表示装置４ａ，４ｂ，４ｃの配置を表示装置６に表示するものである。また、表示制御装置５は、競技に関するイベントが対応付けられ、複数の表示装置４ａ，４ｂ，４ｃに対して割り当てられた複数の表示装置４ａ，４ｂ，４ｃが表示する競技が開催される開催場に関する情報を保持する割り当て情報保持部５ｂを備える。表示制御装置５では、割り当て表示処理部５ｅが、開催場で開催されている競技でイベントが発生すると、割り当て情報保持部５ｂを参照して、発生したイベントに対応付けられた開催場と、複数の表示装置４ａ，４ｂ，４ｃの配置とを表示装置６に表示させる。
【００４１】
このように表示することで、投票所内の投票者は、表示装置６の表示を視認すると、投票したい開催場の競技を表示する表示装置４ａ，４ｂ，４ｃの配置が分かり、迷うことなく所望の表示装置４ａ〜４ｃに向かうことが可能となる。したがって、表示制御装置５は、投票者が投票したい競技を表示する表示装置４ａ，４ｂ，４ｃに投票者を誘導させることができ、当該投票者による投票の機会を増やすことができるようになる。
【００４２】
［第２の実施の形態］
次に、第２の実施の形態では、第１の実施の形態の表示システムについてより具体的に説明する。
【００４３】
第２の実施の形態の表示システムについて図３を用いて説明する。
図３は、第２の実施の形態に係る表示システムの一例を示す図である。
表示システム１００は、ホストコンピュータ２００と、画像生成装置３００、画像切替装置４００、表示制御装置５００を備える。
【００４４】
ホストコンピュータ２００は、競馬に関するレースの全開催場、全レースの出走内容（騎手、競走馬、レーススタイル等）、発走時刻、競技結果、オッズ、配当金等の管理、算出等を行う。また、ホストコンピュータ２００は、ネットワーク７００を介して、レースに関する情報（出走内容、単勝、三連単等の投票方法の種類（式別）等）を画像生成装置３００に通知し、レースに関するイベントが発生すると、当該イベントを表示制御装置５００に通知する。
【００４５】
画像生成装置３００は、ホストコンピュータ２００とネットワーク７００を介して通信可能に接続されており、ホストコンピュータ２００から競馬が開催される各開催場でのレースに関する情報を受信する。画像生成装置３００は、受信した競馬のレースに関する情報に基づいて、開催場ごとのレースの出走内容、単勝、三連単等の投票方法の種類を表示するための画像、投票の受け付けが終了したことを案内する画像、投票数・レース結果等に応じた支払金額を案内するための画像等を生成する。画像生成装置３００は、生成した画像を画像切替装置４００に通知する。
【００４６】
画像切替装置４００は、モニタ１〜９がそれぞれ接続されており、画像生成装置３００から通知されたレースに関する情報の画像をモニタ１〜９に表示させる。また、画像切替装置４００は、画像生成装置３００から画像が通知されるごとに、モニタ１〜９に表示させる画像を通知された画像に切り替える。
【００４７】
表示制御装置５００は、ホストコンピュータ２００とネットワーク７００を介して通信可能に接続されていると共に、画像切替装置４００並びに開催場案内モニタ６００と接続されている。表示制御装置５００は、ホストコンピュータ２００から受信したイベント、並びに開催場と開催場で開催されるレースとに関する情報に基づいて、画像切替装置４００のモニタ１〜９に対する表示の切り替え制御を行う。また、表示制御装置５００は、同様にホストコンピュータ２００から受信したイベント並びに情報に基づいて、開催場案内モニタ６００に発生したイベントに対応付けられた開催場と、複数のモニタ１〜９の配置とを表示させる。
【００４８】
また、このような表示システム１００において、少なくとも、画像切替装置４００に接続されているモニタ１〜９と、表示制御装置５００に接続されている開催場案内モニタ６００とは投票所１０００内に設置されている。具体的には、図３に示すように、モニタ１〜３はゾーンａに、モニタ４〜６はゾーンｂに、モニタ７〜９はゾーンｃにそれぞれ配置されている。また、開催場案内モニタ６００は、例えば、投票所１０００の入場口付近に設置されている。
【００４９】
次に、このような表示システム１００を構成する表示制御装置５００が備えるハードウェア構成例について図４を用いて説明する。
図４は、第２の実施の形態に係る表示制御装置が備えるハードウェア構成例を示す図である。
【００５０】
表示制御装置５００は、表示制御装置５００で実行される処理の制御を行う制御ユニット５６０と、表示制御装置５００に対する係員からの操作入力を受け付ける入力ユニット５７０とを有する。
【００５１】
制御ユニット５６０は、ＣＰＵ５６０ａと、ＲＡＭ（Random Access Memory）５６０ｂ、ＨＤＤ（Hard Disk Drive）５６０ｃ、通信処理部５６０ｄ、グラフィック処理部５６０ｅ、入出力インタフェース５６０ｇを備えており、これらの各部はバス５６０ｈで相互に接続されている。
【００５２】
ＣＰＵ５６０ａは、ＨＤＤ５６０ｃに記憶された各種プログラムを実行することにより、表示制御装置５００全体を統括的に制御する。
ＲＡＭ５６０ｂには、ＣＰＵ５６０ａに実行させるＯＳ並びにプログラムの少なくとも一部が一時的に格納される。また、ＲＡＭ５６０ｂには、ＣＰＵ５６０ａによる処理に必要な各種データが格納される。
【００５３】
ＨＤＤ５６０ｃには、表示制御装置５００上のＯＳ、アプリケーション等のプログラムが格納される。また、ＨＤＤ５６０ｃには、表示制御装置５００に対する設定情報並びにＣＰＵ５６０ａによる処理に必要な各種情報が格納される。
【００５４】
通信処理部５６０ｄは、ホストコンピュータ２００とネットワーク７００を介して通信可能に接続されており、ホストコンピュータ２００と信号の送受信を行う。
グラフィック処理部５６０ｅには、開催場案内モニタ６００が接続されている。グラフィック処理部５６０ｅは、ＣＰＵ５６０ａからの命令に従って所定の画面を開催場案内モニタ６００に表示させる。
【００５５】
入出力インタフェース５６０ｇには、入力ユニット５７０と、画像切替装置４００が接続されている。また、入出力インタフェース５６０ｇは、可搬型記憶媒体５８０への情報の書き込み、及び可搬型記憶媒体５８０への情報の読み出しが可能な可搬型記憶媒体インタフェースと接続可能になっている。入出力インタフェース５６０ｇは、バス５６０ｈを介してＣＰＵ５６０ａに対して制御信号を入力ユニット５７０から受け付ける。また、入出力インタフェース５６０ｇは、バス５６０ｈを介してＣＰＵ５６０ａからの制御信号を画像切替装置４００に通知する。
【００５６】
入力ユニット５７０は、係員からの操作入力を受け付ける、マウス、キーボード等であって、表示制御装置５００に対する設定、情報の入力等を行う。
なお、ホストコンピュータ２００と、画像生成装置３００、画像切替装置４００も表示制御装置５００と同様に、ＣＰＵと、ＲＡＭ、ＨＤＤ、通信制御部、グラフィック処理部、入出力インタフェースをそれぞれ備えている。
【００５７】
次に、表示制御装置５００が備える機能について図５並びに図６及び図７を用いて説明する。
図５は、第２の実施の形態に係る表示制御装置が備える機能を示す機能ブロック図である。
【００５８】
また、図６は、第２の実施の形態に係る表示制御装置が備えるイベント情報保持部が保持するイベント情報の一例を示す図、図７は、第２の実施の形態に係る表示制御装置が備える表示パターン情報保持部が保持する表示パターン情報の一例を示す図である。
【００５９】
表示制御装置５００は、イベント情報保持部５０１と、表示パターン情報保持部５０２とを有する。
イベント情報保持部５０１は、発生したレースに関するイベントに、ゾーンａ〜ｃごとのモニタ１〜９に対する表示パターンが対応付けられたイベント情報を保持する。このようなイベント情報は、例えば、図６に示すように、投票所の営業開始に伴い表示システム１００が起動したことを表す「表示システム起動」のイベントには、モニタ１〜９における表示切替として「表示パターン１」が対応付けられている。
【００６０】
表示パターン情報保持部５０２は、投票所１０００のゾーンａ〜ｃに配置されたモニタ１〜９に表示させる表示チャンネル（表示ＣＨ）のパターンを表す表示パターン情報を保持する。例えば、図７に示すように、このような表示パターン情報の１つである「表示パターン１」は、ゾーンａに配置されたモニタ１〜３に対して開催場のＡ場で開催されるレースの単勝、馬連単、三連単をそれぞれ表示する表示チャンネルのＣＨ１〜３がそれぞれ対応付けられている。ゾーンｂに配置されたモニタ４〜６に対して開催場のＢ場で開催されるレースの単勝、馬連単、三連単をそれぞれ表示する表示チャンネルのＣＨ４〜６がそれぞれ対応付けられている。そして、ゾーンｃに配置されたモニタ７〜９に対して開催場のＣ場で開催されるレースの単勝、馬連単、三連単をそれぞれ表示する表示チャンネルのＣＨ７〜９がそれぞれ対応付けられている。
【００６１】
なお、イベント情報保持部５０１及び表示パターン情報保持部５０２が保持する情報は、係員により表示制御装置５００に対して予め入力されるものである。
また、表示制御装置５００は、図５に示すように、受信処理部５０３と、開催場情報取得部５０４、開催場情報保持部５０５、イベント取得部５０６、イベント判定部５０７を有する。さらに、表示制御装置５００は、表示切替情報生成部５０８と、表示切替情報保持部５０９、表示切替制御部５１０、割り当て情報生成部５１１、割り当て情報保持部５１２、割り当て表示処理部５１３、最終レース判定部５１４を有する。
【００６２】
受信処理部５０３は、通信処理部５６０ｄを介してホストコンピュータ２００から通知された情報を受信する。
開催場情報取得部５０４は、受信処理部５０３が受信した情報から開催場情報を取得して、取得した開催場情報を開催場情報保持部５０５に保持させる。開催場情報保持部５０５は、開催場情報取得部５０４が取得した開催場情報を保持する。なお、開催場情報は、ホストコンピュータ２００がシステム上で割り当てて用いる開催場である。また、開催場情報は、ホストコンピュータ２００からネットワーク７００を介して画像生成装置３００にも送信されて、画像生成装置３００でも利用される。開催場情報については後に具体的に説明する。
【００６３】
イベント取得部５０６は、受信処理部５０３が受信した情報からイベントを取得する。イベント判定部５０７は、イベント取得部５０６が取得したイベントがイベント情報保持部５０１内に含まれているか否かを判定する。なお、イベント判定部５０７は、取得したイベントがイベント情報保持部５０１内に含まれている場合には、当該イベントにフラグをセットする。
【００６４】
表示切替情報生成部５０８は、イベント判定部５０７がイベント情報保持部５０１に取得したイベントが含まれていることを判定した場合に、当該イベントに対応付けられた表示パターンを特定する。表示切替情報生成部５０８は、特定した表示パターンに基づいて表示パターン情報保持部５０２からモニタ１〜９に表示させる表示チャンネルを表す表示切替情報を生成して、表示切替情報保持部５０９に保持させる。表示切替情報保持部５０９は、表示切替情報生成部５０８が生成した表示切替情報を保持する。なお、表示切替情報生成部５０８による表示切替情報の生成並びに表示切替情報については後に具体的に説明する。
【００６５】
表示切替制御部５１０は、表示切替情報保持部５０９が保持する表示切替情報に基づき、入出力インタフェース５６０ｇから画像切替装置４００にモニタ１〜９に表示させる表示チャンネルの表示要求を通知する。
【００６６】
割り当て情報生成部５１１は、表示切替情報生成部５０８の生成処理後に、イベント情報保持部５０１に含まれるイベント判定部５０７が判定したイベントに対応付けられた表示パターンを特定する。割り当て情報生成部５１１は、特定した表示パターンに基づき表示パターン情報保持部５０２からゾーンに割り当てる開催場を特定する。割り当て情報生成部５１１は、開催場情報保持部５０５を参照して、ゾーンに対する割り当てを特定した開催場に、開催場の場名を対応付けて、割り当て情報を生成する。割り当て情報生成部５１１は、生成した割り当て情報を割り当て情報保持部５１２に保持させる。なお、割り当て情報生成部５１１による割り当て情報の生成並びに割り当て情報については後に具体的に説明する。
【００６７】
割り当て表示処理部５１３は、割り当て情報保持部５１２に基づき、グラフィック処理部５６０ｅから開催場案内モニタ６００に、ゾーンごとのモニタの配置と、ゾーンごとに割り当てた、モニタが表示するレースが開催される開催場とを表示させる。
【００６８】
最終レース判定部５１４は、イベント情報保持部５０１内にセットされたフラグの状況から、最終レースが未実施の開催場の有無を判定する。
次に、このような機能を有する表示制御装置５００による表示制御処理について図８並びに図９〜図１１及び図１２を用いて説明する。
【００６９】
図８は、第２の実施の形態における表示制御装置で実行される表示制御処理を示すフローチャートである。
図９は、第２の実施の形態に係る表示制御装置が備える開催場情報保持部が保持する開催場情報の一例を示す図、図１０は、第２の実施の形態に係る表示制御装置が生成する表示切替情報保持部が保持する表示切替情報の一例を示す図、図１１は、第２の実施の形態に係る表示制御装置が表示させる割り当て情報保持部が保持する割り当て情報の一例を示す図である。
【００７０】
また、図１２は、第２の実施の形態における表示制御装置が表示させる開催場案内モニタの表示例を示す図である。なお、図１２（Ａ）は、表示システム起動の、図１２（Ｂ）は、Ｃ場最終レース払い戻し金額の確定の、図１２（Ｃ）は、Ｂ場及びＣ場最終レース払い戻し金額の確定のイベントが発生した際の開催場案内モニタ６００の表示例をそれぞれ示している。
【００７１】
なお、図９、図１１及び図１２の場名は仮称としている。
投票所の営業開始に伴って表示システム１００が起動すると、表示制御装置５００は、ホストコンピュータ２００と通信を行って以下の処理を実行する。
【００７２】
［ステップＳ１１］  受信処理部５０３は、通信処理部５６０ｄを介してホストコンピュータ２００から通知された情報を受信する。
開催場情報取得部５０４は、受信処理部５０３が受信した情報から開催場情報を取得して、取得した開催場情報を開催場情報保持部５０５に保持させる。
【００７３】
開催場情報は、ホストコンピュータ２００がホストコンピュータ２００上において、例えば、図９に示すように、開催場のＡ，Ｂ，Ｃ，Ｄ場に対して「埼玉」、「千葉」、「群馬」、「茨城」という順に割り当てて登録したものである。ホストコンピュータ２００は、このような順で登録された開催場をセットにして、表示制御装置５００に送信する。
【００７４】
［ステップＳ１２］  イベント取得部５０６は、受信処理部５０３を介してイベントの受信を待ち受ける。
受信処理部５０３がホストコンピュータ２００からイベントを受信して、イベント取得部５０６が当該イベントを取得すると、次のステップＳ１３の処理が実行される。
【００７５】
例えば、イベント取得部５０６がホストコンピュータ２００から表示システム１００の起動を表す「表示システム起動」のイベントを取得すると、次のステップＳ１３が実行される。
【００７６】
［ステップＳ１３］  イベント判定部５０７は、イベント取得部５０６がステップＳ１２で取得したイベントがイベント情報保持部５０１内に含まれているか否かを判定する。
次の処理は、ステップＳ１２で取得したイベントがイベント情報保持部５０１に含まれている場合には、ステップＳ１４が実行され、含まれていない場合には、ステップＳ１２が再び実行される。
【００７７】
なお、イベント判定部５０７は、取得したイベントがイベント情報保持部５０１内に含まれている場合には、当該イベントにフラグをセットする。
上記の例では、イベント判定部５０７が、イベント情報保持部５０１（図６）に「表示システム起動」のイベントが含まれていることを判定すると、次のステップＳ１４が実行される。
【００７８】
［ステップＳ１４］  表示切替情報生成部５０８は、イベント情報保持部５０１を参照して、ステップＳ１２で取得したイベントに対応付けられた表示パターンを特定する。
表示切替情報生成部５０８は、特定した表示パターンに基づいて表示パターン情報保持部５０２からモニタ１〜９に表示させる表示チャンネルを表す表示切替情報を生成して、表示切替情報保持部５０９に保持させる。
【００７９】
上記の例では、表示切替情報生成部５０８は、イベント情報保持部５０１（図６）を参照して、ステップＳ１２で取得した「表示システム起動」のイベントに対応付けられた「表示パターン１」を特定する。さらに、表示切替情報生成部５０８は、図１０（Ａ）に示すように、表示パターン情報保持部５０２（図７）の「表示パターン１」からモニタ１〜９にそれぞれ表示させる表示チャンネルとして「表示ＣＨ１〜９」をそれぞれ対応させた表示切替情報を生成して、表示切替情報保持部５０９に保持させる。
【００８０】
別の例としては、表示切替情報生成部５０８は、ステップＳ１２で「Ｃ場最終レース払い戻し金額の確定」または「Ｂ場及びＣ場最終レース払い戻し金額の確定」のイベントを取得した場合には、同様にして、図１０（Ｂ），（Ｃ）に示すような表示切替情報を生成して、表示切替情報保持部５０９に保持させる。
【００８１】
［ステップＳ１５］  表示切替制御部５１０は、表示切替情報保持部５０９が保持する表示切替情報に基づき、入出力インタフェース５６０ｇから画像切替装置４００にモニタ１〜９に表示させる表示チャンネルの表示要求を通知する。
【００８２】
これにより、画像切替装置４００は、通知された表示要求に基づいた表示チャンネルをモニタ１〜９に表示させる。
上記の例では、表示切替制御部５１０は、表示切替情報保持部５０９が保持する図１０（Ａ）の表示切替情報に基づく表示要求を画像切替装置４００に通知して、画像切替装置４００は、モニタ１〜９に表示チャンネルとして表示ＣＨ１〜９をそれぞれ表示する。
【００８３】
別の例としては、表示切替制御部５１０は、同様にして、図１０（Ｂ）または図１０（Ｃ）の表示切替情報に基づく表示要求を画像切替装置４００に通知して、画像切替装置４００は、モニタ１〜９に表示チャンネルとして表示ＣＨ１〜６，１０〜１２または表示ＣＨ１〜３，１〜３，１０〜１２をそれぞれ表示する。
【００８４】
［ステップＳ１６］  割り当て情報生成部５１１は、イベント情報保持部５０１を参照して、ステップＳ１２で取得したイベントに対応付けられた表示パターンを特定する。
割り当て情報生成部５１１は、特定した表示パターンに基づいて表示パターン情報保持部５０２からゾーンに割り当てる開催場を特定する。さらに、割り当て情報生成部５１１は、開催場情報保持部５０５を参照して、特定した開催場に対して開催場の場名を対応付けて割り当て情報を生成して、割り当て情報保持部５１２に保持させる。
【００８５】
上記の例では、割り当て情報生成部５１１は、イベント情報保持部５０１（図６）を参照して、ステップＳ１２で取得した「表示システム起動」のイベントに対応付けられた「表示パターン１」を特定し、表示パターン情報保持部５０２（図７）の「表示パターン１」からゾーンａ〜ｃにそれぞれ開催場としてＡ場、Ｂ場、Ｃ場を割り当てる。さらに、割り当て情報生成部５１１は、開催場情報保持部５０５（図９）を参照して、図１１（Ａ）に示すように、ゾーンａ〜ｃにそれぞれ割り当てた「Ａ場」、「Ｂ場」、「Ｃ場」に「埼玉」、「千葉」、「群馬」を対応付けて割り当て情報を生成して、割り当て情報保持部５１２に保持させる。
【００８６】
別の例としては、割り当て情報生成部５１１は、ステップＳ１２で「Ｃ場最終レース払い戻し金額の確定」または「Ｂ場及びＣ場最終レース払い戻し金額の確定」のイベントを取得した場合には、同様にして、図１１（Ｂ），（Ｃ）に示すような割り当て情報を生成して、割り当て情報保持部５１２に保持させる。
【００８７】
［ステップＳ１７］  割り当て表示処理部５１３は、割り当て情報保持部５１２に基づき、グラフィック処理部５６０ｅから開催場案内モニタ６００に、ゾーンごとのモニタの配置と、ゾーンごとにモニタが表示するレースが開催される開催場とを表示させる。
【００８８】
上記の例では、割り当て表示処理部５１３は、割り当て情報保持部５１２（図１１（Ａ））に基づき、開催場案内モニタ６００に、図１２（Ａ）に示すように、モニタ１〜３（ゾーンａ）に対して「埼玉競馬場」が、モニタ４〜６（ゾーンｂ）に対して「千葉競馬場」が、モニタ７〜９（ゾーンｃ）に対して「群馬競馬場」がそれぞれ割り当てられた画像を表示させる。
【００８９】
他の例としては、割り当て表示処理部５１３は、ステップＳ１２で「Ｃ場最終レース払い戻し金額の確定」または「Ｂ場及びＣ場最終レース払い戻し金額の確定」のイベントを取得した場合には、同様にして、図１２（Ｂ），（Ｃ）に示すような画像を開催場案内モニタ６００に表示させる。
【００９０】
このような表示により、投票所内に入場した投票者は、図１２に示すような開催場案内モニタ６００による表示を視認することで、所望の開催場のレースを表示するモニタ１〜９に迷わずに向かうことができるようになる。
【００９１】
［ステップＳ１８］  最終レース判定部５１４は、イベント情報保持部５０１内にセットされたフラグの状況から、最終レースが未実施の開催場の有無を判定する。
次の処理は、最終レースが未実施の開催場があれば、ステップＳ１２が再び実行される。最終レースが未実施の開催場がなければ、表示制御処理が終了する。
【００９２】
上記の表示制御装置５００は、公営競技の投票所１０００内に配置された、競技に関する情報を表示している複数のモニタ１〜９の配置を開催場案内モニタ６００に表示するものである。
【００９３】
また、表示制御装置５００は、競技に関するイベントが対応付けられ、複数のモニタ１〜９に表示させる表示チャンネルに関する情報を保持する表示切替情報保持部５０９を備える。表示制御装置５００では、開催場で開催されている競技でイベントが発生すると、表示切替情報保持部５０９を参照して、複数のモニタ１〜９に、発生したイベントに対応付けられた表示チャンネルを表示させる。これにより、モニタ１〜９に表示チャンネルを自動的に表示させることができるようになる。
【００９４】
また、表示制御装置５００は、競技に関するイベントが対応付けられ、複数のモニタ１〜９に対して割り当てられた複数のモニタ１〜９が表示する競技が開催される開催場に関する情報を保持する割り当て情報保持部５１２を備える。表示制御装置５００では、開催場で開催されている競技でイベントが発生すると、割り当て情報保持部５１２を参照して、発生したイベントに対応付けられた開催場と、複数のモニタ１〜９の配置とを開催場案内モニタ６００に表示させる。
【００９５】
このように表示することで、投票所１０００内の投票者は、開催場案内モニタ６００の表示を視認すると、投票したい開催場の競技を表示するモニタ１〜９の配置が分かり、迷うことなく所望のモニタ１〜９に向かうことが可能となる。したがって、表示制御装置５００は、投票者が投票したい競技を表示するモニタ１〜９に投票者を誘導させることができ、当該投票者による投票の機会を増やすことができるようになる。
【００９６】
なお、上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【００９７】
処理内容を記述したプログラムは、コンピュータで読み取り可能な記憶媒体に記憶しておくことができる。コンピュータで読み取り可能な記憶媒体には、磁気記憶装置、光ディスク、光磁気記憶媒体、半導体メモリなどがある。磁気記憶装置には、ＨＤＤ、フレキシブルディスク（ＦＤ）、磁気テープ（ＭＴ）などがある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）などがある。光磁気記憶媒体には、ＭＯ（Magneto - Optical disk）などがある。半導体メモリには、ＵＳＢ（Universal Serial Bus）メモリなどのフラッシュメモリがある。
【００９８】
上記プログラムを流通させる場合には、例えば、そのプログラムが記憶されたＤＶＤ、ＣＤ−ＲＯＭなどの可搬型記憶媒体が販売される。また、プログラムをサーバコンピュータに格納しておき、ネットワークを介して、サーバコンピュータから他のコンピュータにそのプログラムを転送することもできる。
【００９９】
上記プログラムを実行するコンピュータは、例えば、可搬型記憶媒体に記憶されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１００】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現してもよい。
【０１０１】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１０２】
１  表示システム
２  公営競技ホストコンピュータ
３  画像制御装置
４ａ〜４ｃ，６  表示装置
５  表示制御装置
５ａ  表示切替情報保持部
５ｂ  割り当て情報保持部
５ｃ  イベント取得部
５ｄ  切替表示処理部
５ｅ  割り当て表示処理部
【図１】
2014215790.tif 000003
【図２】
2014215790.tif 000004
【図３】
2014215790.tif 000005
【図４】
2014215790.tif 000006
【図５】
2014215790.tif 000007
【図６】
2014215790.tif 000008
【図７】
2014215790.tif 000009
【図８】
2014215790.tif 000010
【図９】
2014215790.tif 000011
【図１０】
2014215790.tif 000012
【図１１】
2014215790.tif 000013
【図１２】
2014215790.tif 000014